(57)【特許請求の範囲】
【請求項１】
撮影された被写体像をプリント用紙に印刷し、印刷済み用紙をカメラ本体のケース外へ排出可能な如く設けられたプリンタ内蔵型の電子カメラであって、
前記カメラ本体の正面から見て当該カメラ本体のケース上面に設けられた印刷済み用紙を排出するための用紙排出口と、
この用紙排出口の内方に基端部が固定され、上記基端部を除くフリー端部が自らの弾性復元力により前記ケース内にロール状に巻き込まれて収容可能な如く設けられ、前記印刷済み用紙が前記ケース外へ排出されるとき、当該印刷済み用紙の先端部により前記フリー端部が伸展状態にされ、前記用紙の感光面を覆う如く設けられた保護シートと、
この保護シートが前記ケース内にロール状に巻き込まれて収容されたとき、前記用紙排出口を前記ケースの外側から閉塞可能な如く、矩形状板体の一端縁が前記ケースに対し回動自在に軸支された開閉蓋と、
を備えたことを特徴とする電子カメラ。
【請求項２】
撮影された被写体像をプリント用紙に印刷し、印刷済み用紙をカメラ本体のケース外へ排出可能な如く設けられたプリンタ内蔵型の電子カメラであって、
前記カメラ本体の正面から見て当該カメラ本体のケース上面に設けられた印刷済み用紙を排出するための用紙排出口と、
この用紙排出口の内方に基端部が固定され、上記基端部を除くフリー端部が自己復元力により常に前記ケース内にロール状に巻き込まれて収容可能な如く設けられ、前記印刷済み用紙が前記ケース外へ排出されるとき、当該印刷済み用紙の先端部により前記フリー端部が伸展状態にされ、前記用紙の感光面を覆う如く設けられた保護シートと、
この保護シートが前記ケース内にロール状に巻き込まれて収容されたとき、前記用紙排出口を前記ケースの外側から閉塞可能な如く、矩形状板体の一端縁が前記ケースに対し回動自在に軸支された開閉蓋と、
この開閉蓋が前記保護シートの動きに連動して開閉動作する如く、前記保護シートと前記開閉蓋とを連結する連結機構と、
を備えたことを特徴とする電子カメラ。
【請求項３】
前記連結機構は、
前記印刷済み用紙の排出の過程において、前記保護シートが前記印刷済み用紙の先端部によって伸展状態にされるとき、前記開閉蓋を前記保護シートの伸展動作に連動して開いた状態となす開蓋操作手段と、
前記印刷済み用紙の排出完了後において、前記保護シートが自らの弾性復元力により前記ケース内にロール状に巻き込まれて収容されるとき、前記開閉蓋を前記保護シートの巻き込み動作に連動して閉じた状態となす閉蓋操作手段と、
を備えていることを特徴とする請求項２に記載の電子カメラ。
【請求項４】
前記連結機構は、
前記開閉蓋の回動軸と平行であって、且つ当該開閉蓋の内面に対して少なくとも前記保護シートが通過可能な間隙を隔てて対向配置される短冊状のシート保持部材と、
このシート保持部材を前記開閉蓋に対して固定する固定機構と、
を備えていることを特徴とする請求項２に記載の電子カメラ。
【請求項５】
前記シート保持部材は、前記保護シートに接する面が錐体面を呈するウィング部を備えていることを特徴とする請求項４に記載の電子カメラ。
【請求項６】
前記固定機構は、前記保護シートに設けた開口部を通して前記シート保持部材を前記開閉蓋の内面に支持するための支持ブロックと、この支持ブロックを介して前記シート保持部材を前記開閉蓋の内面に着脱自在に固定する固定素子とを備えていることを特徴とする請求項４に記載の電子カメラ。
【請求項７】
前記シート保持部材と前記支持ブロックとの間には、位置決め用の嵌合部が設けられていることを特徴とする請求項６に記載の電子カメラ。
【請求項８】
前記保護シートに設けた開口部は、前記支持ブロックにおける前記回動軸と直交する方向の長さより大きな長さを有していることを特徴とする請求項６に記載の電子カメラ。
【請求項９】
前記開閉蓋は、開放時において当該開閉蓋の側方から前記用紙排出口内に侵入する光を遮蔽するために、当該開閉蓋における矩形状板体の両側に、それぞれ光遮蔽部片を備えていることを特徴とする請求項１又は２に記載の電子カメラ。
【発明の詳細な説明】
【０００１】
【発明の属する技術分野】
本発明は、撮影した被写体像を、内蔵プリンタにより、例えば自己現像型の感光性プリント媒体（用紙）に対し、その場で印刷することが可能なプリンタ内蔵型の電子カメラに関する。
【０００２】
【従来の技術】
電子カメラは、従来から広く使用されている銀塩カメラに比べて、撮像した画像をその場で直ちに再生して表示することが可能であるという優れた利点を有している。このような電子カメラに、更に、撮影した画像をその場で適当なプリント媒体（用紙）にプリントすることが可能なプリンタが内蔵されていれば、電子カメラの用途ないし利用範囲は格段に広がることになる。かかる観点から、プリンタ内蔵型の電子カメラが開発され実用に供されている。
【０００３】
従来のプリンタ内蔵型の電子カメラには、以下に述べるような問題がある。すなわち、この種の電子カメラは、撮影した画像が印刷された印刷済み用紙をカメラ本体のケースから外部へ排出する為に、スリット状の用紙排出口を有している。この用紙排出口は印刷済み用紙が排出される際、できるだけ周囲との摩擦が生じないように、カメラ本体のケース上面に設けられる場合が多い。そして、この用紙排出口は印刷済み用紙を排出可能な大きさを有し、且つ常に開口した状態に設けられるのが普通である。
【０００４】
したがって上記従来のプリンタ内蔵型の電子カメラでは、用紙排出口から外部光がカメラ本体内に入り込み、プリント用紙の感光面を不必要に露光するおそれがある。また用紙排出口から塵埃、砂、小砂、微粒子、汚染物質などの異物がカメラ本体内へ入り込み、思わぬトラブルを引き起こすおそれもある。
【０００５】
なお従来のこの種の電子カメラとして、上記用紙排出口から排出される印刷済み用紙の感光面を保護するために、保護シートを備えたものがある。
【０００６】
この保護シート付き電子カメラは、用紙排出口の近傍にロール状に巻き込まれた保護シートを装着しておき、印刷済み用紙が排出される際、その用紙の先端部で上記保護シートのフリー端部を伸展させ、上記保護シートで印刷済み用紙の感光面を覆うように構成されている。
【０００７】
【発明が解決しようとする課題】
上記保護シート付き電子カメラによれば、保護シートを全く持たないものに比べると前記問題はある程度解決される。しかしながら上記保護シートは、開口部を閉塞することを目的としたものではないために、ロール状に巻き込まれた保護シートにより用紙排出口が常に確実に閉塞されるという保証はない。また上記保護シートはフレキシビリティを有していることから、巻き込まれた状態の保護シートのロール径は一定しない。その結果、巻き込まれた保護シートと用紙排出口との間に発生する隙間の大きさや形状にばらつきが生じることになる。
【０００８】
本発明の目的は、下記のような利点を有するプリンタ内蔵型の電子カメラを提供することにある。
【０００９】
(a) 用紙排出口から外部光が入り込んで、プリント用紙の感光面を不必要に露光したり、また用紙排出口から塵埃、砂、小砂、微粒子、汚染物質などの異物がカメラ本体内に入り込んでトラブルを引き起こしたりするおそれがない。
【００１０】
(b) 上記 (a)の利点を有するものでありながら、カメラ本体の大型化やコストアップを招くおそれがない。
【００１１】
【課題を解決するための手段】
前記課題を解決し目的を達成するために、本発明の電子カメラは、下記に示すような特徴ある構成を有している。なお下記以外の本発明の特徴ある構成については、実施形態の中で明らかにする。
【００１２】
（１）本発明の電子カメラは、撮影された被写体像をプリント用紙に印刷し、印刷済み用紙をカメラ本体のケース外へ排出可能な如く設けられた電子カメラであって、
前記カメラ本体の正面から見て当該カメラ本体のケース上面に設けられた印刷済み用紙を排出するための用紙排出口と、
この用紙排出口の内方に基端部が固定され、上記基端部を除くフリー端部が自らの弾性復元力により前記ケース内にロール状に巻き込まれて収容可能な如く設けられ、前記印刷済み用紙が前記ケース外へ排出されるとき、当該印刷済み用紙の先端部により前記フリー端部が伸展状態にされ、前記用紙の感光面を覆う如く設けられた保護シートと、
この保護シートが前記ケース内にロール状に巻き込まれて収容されたとき、前記用紙排出口を前記ケースの外側から閉塞可能な如く、矩形状板体の一端縁が前記ケースに対し回動自在に軸支された開閉蓋と、
を備えたことを特徴としている。
【００１３】
（２）本発明の電子カメラは、前記開閉蓋が前記保護シートの動きに連動して開閉動作する如く、前記保護シートと前記開閉蓋とを連結する連結機構を備えたことを特徴としている。
【００１４】
【発明の実施の形態】
（一実施形態）
「構成」
図１に示すように、カメラ本体１００は、大別すると図中左方に示す撮像ユニット１１０と図中右方に示す印刷ユニット１２０との二部分からなっている。
【００１５】
撮像ユニット１１０は、カメラ本体１００の前方に存在する被写体の光学像を取り込む撮影レンズ１１１，上記撮影レンズ１１１により取り込まれた被写体の光学像を対応する電気信号に変換して画像情報を供給するＣＣＤ撮像素子１１２，カメラの撮影動作を開始させるレリーズボタン１１３等を備えている。
【００１６】
印刷ユニット１２０は、前カバー１２１ａと後カバー１２１ｂとを一体的に接合してなる直方体状をなすケース１２１を有し、その内部に、自己現像型の感光性プリント用紙Ｐａが格納された用紙カートリッジＰＣを収納するためのカートリッジ収納室１２２と、前記用紙カートリッジＰＣから前記プリント用紙Ｐａを１枚づつ引き出して搬送する、ピックアップ機構１２３Ｐ、一対の搬送ローラ（不図示）、一対の送り出しローラ１２３Ｒ等を含む用紙搬送機構１２３と、この用紙搬送機構１２３により搬送される前記プリント用紙Ｐａに対して前記撮像ユニット１１０で得られた画像情報に対応する画像を印刷するプリンタ１２４等を収納している。
【００１７】
ピックアップ機構１２３Ｐは、ピックアップ爪を有する上下動可能なピックアッププレートを備えており、このピックアッププレートで前記プリント用紙Ｐａを１枚づつ引き上げることにより、上記各用紙Ｐａの上端を前記搬送ローラへ送り込むように動作する。
【００１８】
さらに印刷ユニット１２０は、プリンタ１２４で印刷された印刷済み用紙Ｐｂをケース１２１の外方へ排出するための用紙排出口１２５と、この用紙排出口１２５から排出される前記印刷済み用紙Ｐｂの感光面を保護する為の保護シート１３０と、この保護シート１３０が前記ケース１２１内にロール状に巻き込まれて収容された状態において、前記用紙排出口１２５を前記ケース１２１の外側から閉塞可能な如く、矩形状板体１４０ｃの長辺部の一端縁が前記ケース１２１に対して回動自在に軸支された開閉蓋１４０とを備えている。
【００１９】
保護シート１３０については後で詳しく述べるので、ここではその概要について簡単に説明する。前記保護シート１３０は、例えば弾性に富んだシート状のプラスチック材にて形成されており、その基端部は、後述するようにケース１２１の内部に固定されている。そして保護シート１３０のフリー端部は、自らをロール状に巻き込む所謂巻き癖を当該フリー端に与えるバネ類似の弾性力、すなわち弾性復元力を有している。この保護シート１３０の内面は黒色であることが望ましい。
【００２０】
前記開閉蓋１４０は、若干円弧状に湾曲した矩形状板体１４０ｃを主体として形成されている。この矩形状板体１４０ｃは、長辺部の一端縁を中心として回動可能なように、その左右両側が、前記ケース１２１に対し回動自在に軸支されている。
【００２１】
前記開閉蓋１４０における矩形状板体１４０ｃの左右両側には、当該開閉蓋１４０が開かれた状態において開閉蓋側方から前記用紙排出口１２５内に侵入する光を遮蔽するための光遮蔽部片１４０ａ，１４０ｂが設けられている。
【００２２】
前記印刷ユニット１２０のケース１２１の内部には、図示はしてないが、電源としてのバッテリー、制御系用の各種部品を搭載したプリント配線基板などが収容されている。またケース１２１の前面上部には、ストロボ・ユニット１５０が付設されている。
【００２３】
図２の（ａ）は開閉蓋１４０が開放された状態を示す縦断側面図であり、図２の（ｂ）は開閉蓋１４０が閉塞された状態を示す縦断側面図である。図２の（ａ）及び（ｂ）に示すように、前記保護シート１３０の基端部１３１は、ケース１２１の内部に設置されている取付けベース１２７の上面に、固定部材１２８によって固定されている。
【００２４】
保護シート１３０の基端部１３１を除くフリー端部１３２は、当該フリー端部１３２に外力が加えられないときは、図２の（ｂ）に示す如く前記ケース１２１の内部にロール状に巻き込まれている。そして前記印刷済み用紙Ｐｂがケース１２１から外へ送り出されるとき、上記フリー端部１３２は、図２の（ａ）に示す如く上記印刷済み用紙Ｐｂの上端部によってケース１２１の外へ送り出されて伸展状態となる。このとき印刷済み用紙Ｐｂの感光面（図中右側面）が保護シート１３０によって覆われた状態となる為、当該感光面が保護されるものとなる。
【００２５】
なお後述するように、ケース１２１の外へ排出完了した印刷済み用紙Ｐｂが、ユーザによりケース１２１から完全に引き抜かれれば、上記フリー端部１３２は自らの弾性復元力によって自己巻き込み動作を行ない、ケース１２１の内部に引き戻される。
【００２６】
前記開閉蓋１４０の内面と、前記保護シート１３０の一部すなわち保護シート１３０の基端部近傍とは、連結機構１６０によって連結されており、保護シート１３０の動きに連動して開閉蓋１４０が開閉動作するものとなっている。前記連結機構１６０は、開蓋操作手段ＯＰと閉蓋操作手段ＣＬとを備えている。
【００２７】
開蓋操作手段ＯＰとは、図２の（ａ）に矢印ＯＰで示すように、印刷済み用紙Ｐｂの排出開始時において、前記保護シート１３０が前記印刷済み用紙Ｐｂの先端部により伸展状態とされるとき、前記開閉蓋１４０を前記保護シート１３０の伸展動作に連動させて開いた状態となす手段のことである。
【００２８】
閉蓋操作手段ＣＬとは、図２の（ｂ）に矢印ＣＬで示すように、前記印刷済み用紙Ｐｂがケース１２１の外部へ取り出されたことにより、前記保護シート１３０が自己復元力によりロール状に巻き込まれて前記ケース１２１内に収容されるとき、前記開閉蓋１４０を前記保護シート１３０の巻き込み動作に連動させて閉じた状態となす手段のことである。
【００２９】
図３の（ａ）及び（ｂ）は連結機構１６０，保護シート１３０，及び開閉蓋１４０を互いに関連付けて示す図であって、図３の（ａ）は開閉蓋１４０が開放された状態を示しており、図３の（ｂ）は開閉蓋１４０が閉塞された状態を示している。この図３の（ａ）及び（ｂ）は、前記図２の（ａ）及び（ｂ）にそれぞれ対応している。
【００３０】
図４の（ａ）は前記連結機構１６０の具体的構成を、保護シート１３０及び開閉蓋１４０と共に示す分解斜視図である。また図４の（ｂ）は前記連結機構１６０のシート保持部材を一部切断して示す斜視図である。
【００３１】
図３の（ａ），（ｂ）及び図４の（ａ）（ｂ）に示すように、開閉蓋１４０の矩形状板体１４０ｃにおける一端縁（図３の（ａ）において下端縁）の両端は、回動軸１４１により回動自在に軸支されている。回動軸１４１は前述したケース１２１の前カバー１２１ａと後カバー１２１ｂとの間に形成されている軸支部１２１ｃにより支持されている。
【００３２】
連結機構１６０はシート保持部材１７０を有している。このシート保持部材１７０は、図３の（ｂ）に示すように前記開閉蓋１４０の回動軸１４１と平行であって、且つ当該開閉蓋１４０の内面に対して少なくとも前記保護シート１３０が通過可能な間隙Ｇ（図２の（ａ）（ｂ）も参照）を隔てて対向配置されている。上記シート保持部材１７０は、全体がほぼ短冊状をなしており、その両端がウィング部１７１，１７２となっている。すなわち、シート保持部材１７０の長手方向に対して直交する断面が、航空機の翼に似た形状（図４の（ｂ）参照）をしている。そして上記ウィング部１７１，１７２の角錐体状をなすテーパー面が、保護シート１３０のロール状に巻き込まれる内面側に対向するものとなっている。このシート保持部材１７０は、固定機構１８０によって前記開閉蓋１４０に対して固定されている。
【００３３】
固定機構１８０は以下の如く構成されている。すなわち、開閉蓋１４０の矩形状板体１４０ｃの内面中央部位には、固定機構１８０の主たる構成要素としての支持ブロック１８１が突設されている。この支持ブロック１８１は、ほぼ短円柱状をなし、その突出端面の中央部にねじ孔１８１ｃが設けてある。上記突出端面のねじ孔１８１ｃを挟んで対向する二つの箇所には、位置決め用の突起１８１ａ，１８１ｂが設けてある。上記支持ブロック１８１の突出端面は、保護シート１３０に設けた開口部としてのスリット孔１３３をくぐり抜けて保護シート１３０の内面側に露出する。
【００３４】
この露出した支持ブロック１８１の突出端面に対し、シート保持部材１７０の中央部位に設けてある支持部１８２が接合される。上記支持部１８２の中央部には前記ねじ孔１８１ｃと連通するねじ挿通孔１８２ｃが設けてある。上記ねじ挿通孔１８２ｃを挟んで対向する二つの箇所には、前記位置決め用の突起１８１ａ，１８１ｂとそれぞれ嵌合するように、一対の位置決め用の嵌合孔１８２ａ（長孔）および１８２ｂ（円孔）が対応して設けてある。
【００３５】
そこでシート保持部材１７０の嵌合孔１８２ａ，１８２ｂを、支持ブロック１８１の位置決め用の突起１８１ａ，１８１ｂに対しそれぞれ嵌合させて前述の如く接合状態となし、固定ねじ１８３を前記挿通孔１８２ｃに挿入し、前記ねじ孔１８１cに対してねじ込むことにより、シート保持部材１７０は支持ブロック１８１にねじ止めされる。かくしてシート保持部材１７０は、固定機構１８０により、開閉蓋１４０に対し着脱可能な状態に固定される。
【００３６】
なお保護シート１３０に設けたスリット孔１３３の幅Ｗは、前記支持ブロック１８１の幅より若干大きめに形成してあり、長さＬは前記支持ブロック１８１の長さより十分長目に、相当のゆとりを以て形成されている。
【００３７】
「動作」
次に上記の如く構成された電子カメラの動作を図１ないし図４の（ａ）（ｂ）、および図５の（ａ）（ｂ）（ｃ）を適時参照しながら説明する。撮像ユニット１１０で取り込まれた画像情報に対応する画像が、内蔵プリンタ１２４によって感光性プリント用紙Ｐａに印刷されると、印刷済み用紙Ｐｂは用紙搬送機構１２３の一対の送り出しローラ１２３Ｒにより搬送を開始される。そうすると、印刷済み用紙Ｐｂは図５の（ａ）に矢印Ｍ１で示す如く用紙排出口１２５に向かって移動する。印刷済み用紙Ｐｂの先端部が、用紙排出口１２５の内方にロール状に巻き込まれた状態に収容されている保護シート１３０のフリー端部１３２の巻き込み部に到達すると、上記フリー端部１３２は印刷済み用紙Ｐｂの先端部によって、図中上方へ押し上げられる。
【００３８】
このとき、連結機構１６０によって保護シート１３０と連結されている開閉蓋１４０は、図５の（ａ）に矢印ＯＰで示すように、上記保護シート１３０の押し上げ動作に連動し、破線で示す如く開いた状態となる。しかるに開閉蓋１４０における矩形状板体１４０ｃの左右両側には、光遮蔽部片１４０ａ，１４０ｂが設けられているため、当該開閉蓋１４０が開かれた状態においても、開閉蓋側方から用紙排出口１２５内に侵入する光は遮蔽される。
【００３９】
この後、上記フリー端部１３２は印刷済み用紙Ｐｂの先端部によってケース１２１の外方へ伸展されながら、図５の（ｂ）に矢印Ｍ２で示す如く送り出されていく。このため印刷済み用紙Ｐｂの感光面（図５の（ｂ）において右側面）が保護シート１３０のフリー端部１３２にて覆われる。なお図５の（ｂ）に示す如く保護シート１３０の左右両側縁も内面側へ若干カールしているため、前記感光面の保護は一層確実におこなわれる。この結果、前記感光面へ外部光が直接照射されるのを回避できると共に、上記感光面に塵埃や汚染物質などが付着するのを防止できる。
【００４０】
図５の（ｂ）に実線で示す印刷済み用紙Ｐｂは、当該用紙Ｐｂが排出完了する直前の状態を示している。この状態では、保護シート１３０のフリー端部１３２の先端部ｅは、まだ印刷済み用紙Ｐｂの先端部ｔによって掴えられている。
【００４１】
図５の（ｂ）に破線で示す印刷済み用紙Ｐｂは、当該用紙Ｐｂが排出完了した後の状態を示している。図示の如く印刷済み用紙Ｐｂの排出が完了すると、それまで印刷済み用紙Ｐｂの先端部ｔによって掴えられていた保護シート１３０のフリー端部１３２の先端部ｅが、破線で示す如く解放される。そして上記フリー端部１３２は矢印Ｎで示す如く、自らの弾性復元力により開閉蓋１４０の開放端近くまで一気に巻き戻される。
【００４２】
ここで印刷済み用紙Ｐｂがユーザにより取り除かれると、保護シート１３０のフリー端部１３２は、図５の（ｃ）に破線で示す如く自らをロール状に巻き込んでケース１２１の内方へ引き込まれる。このとき、連結部材１６０により保護シート１３０と連結されている開閉蓋１４０は、上記保護シート１３０の巻き込み動作に連動して矢印ＣＬで示すように閉じた状態に復帰する。
【００４３】
「作用」
上述したように本実施形態においては、印刷済み用紙Ｐｂの排出動作が行なわれるとき以外は、開閉蓋１４０は閉じた状態となっている。このため、外部光が用紙排出口１２５からカメラ本体１００の内部に入り込むおそれは殆どない。また塵埃，砂，小砂，微粒子，汚染物質などの異物の侵入も防げる。
【００４４】
そして印刷済み用紙Ｐｂの排出動作が開始されるときには、伸展状態となる保護シート１３０の動きに連動して、開閉蓋１４０が自動的に開いた状態になる。このとき開閉蓋１４０の左右両側には光遮蔽部片１４０ａ，１４０ｂが設けられているため、開閉蓋側方から用紙排出口１２５内に侵入しようとする光は遮蔽される。また印刷済み用紙Ｐｂの排出動作が完了し、当該印刷済み用紙Ｐｂがユーザにより取り除かれたとき、保護シート１３０の自己巻き込み動作が行なわれ、開閉蓋１４０が自動的に閉じた状態になる。このように開閉蓋１４０は格別の駆動源を用いることなく、印刷済み用紙Ｐｂの排出動作に関連して自動的に開閉動作する。
【００４５】
このように本実施形態における開閉蓋１４０は、印刷済み用紙Ｐｂの排出動作に同期して自動的に開閉動作するものでありながら、それを駆動するための駆動機構等を格別に設ける必要が全くない。このためカメラ本体１００が大型化したりコストアップしたりするおそれはない。また連結機構１６０は、保護シート１３０と開閉蓋１４０とを連動させるものでありながら、両者を固定化していない。すなわちシート保持部材１７０は開閉蓋１４０の内面との間に保護シート１３０を通過させうる間隙Ｇを開けて取り付けられており、保護シート１３０が開閉蓋１４０の内面から大きく離れないように保持するだけの構成となっている。
【００４６】
かくして保護シート１３０の基端部１３１と開閉蓋１４０の軸心部とが同心配置されていない構造であるにも拘わらず、開閉蓋１４０の開閉動作時において、保護シート１３０と開閉蓋１４０との間に無理な力が働くことはない。したがって長期の使用においても損傷しがたい利点を持っている。
【００４７】
また保護シート１３０に形成されているスリット孔１３３の幅は、支持ブロック１８１の幅より若干大きくしてあると共に、上記スリット孔１３３の長さは、支持ブロック１８１の長さに対して十分大きく設定されている。したがって保護シート１３０の基端部近傍の動きが、上記スリット孔１３３と支持ブロック１８１との係合によって制限されるおそれは無い。特に長手方向の相対的な動きに対する自由度が十分に確保される。
【００４８】
（実施形態における特徴点）
［１］前記実施形態に示された電子カメラは、
撮影された被写体像をプリント用紙Ｐに印刷し、印刷済み用紙Ｐｂをカメラ本体１００のケース１２１外へ排出可能な如く設けられたプリンタ内蔵型の電子カメラであって、
前記カメラ本体１００の正面から見て当該カメラ本体１００のケース１２１上面に設けられた印刷済み用紙Ｐｂを排出するための用紙排出口１２５と、
この用紙排出口１２５の内方に基端部１３１が固定され、上記基端部１３１を除くフリー端部１３２が自らの弾性復元力により前記ケース１２１内にロール状に巻き込まれて収容可能な如く設けられ、前記印刷済み用紙Ｐｂが前記ケース１２１外へ排出されるとき、当該印刷済み用紙Ｐｂの先端部により前記フリー端部１３２が伸展状態にされ、前記用紙Ｐｂの感光面を覆う如く設けられた保護シート１３０と、
この保護シート１３０が前記ケース１２１内にロール状に巻き込まれて収容されたとき、前記用紙排出口１２５を前記ケース１２１の外側から閉塞可能な如く、矩形状板体１４０ａの一端縁が前記ケース１２１に対し回動自在に軸支された開閉蓋１４０と、
を備えたことを特徴としている。
【００４９】
［２］前記実施形態に示された電子カメラは、
撮影された被写体像をプリント用紙Ｐに印刷し、印刷済み用紙Ｐｂをカメラ本体１００のケース１２１外へ排出可能な如く設けられたプリンタ内蔵型の電子カメラであって、
前記カメラ本体１００の正面から見て当該カメラ本体１００のケース１２１上面に設けられた印刷済み用紙Ｐｂを排出するための用紙排出口１２５と、
この用紙排出口１２５の内方に基端部１３１が固定され、上記基端部１３１を除くフリー端部１３２が自らの弾性復元力により前記ケース１２１内にロール状に巻き込まれて収容可能な如く設けられ、前記印刷済み用紙Ｐｂが前記ケース１２１外へ排出されるとき、当該印刷済み用紙Ｐｂの先端部により前記フリー端部１３２が伸展状態にされ、前記用紙Ｐｂの感光面を覆う如く設けられた保護シート１３０と、
この保護シート１３０が前記ケース１２１内にロール状に巻き込まれて収容されたとき、前記用紙排出口１２５を前記ケース１２１の外側から閉塞可能な如く、矩形状板体１４０ａの一端縁が前記ケース１２１に対し回動自在に軸支された開閉蓋１４０と、
この開閉蓋１４０が前記保護シート１３０の動きに連動して開閉動作する如く前記保護シート１３０と前記開閉蓋１４０とを連結する連結機構１６０と、
を備えたことを特徴としている。
【００５０】
［３］前記実施形態に示された電子カメラは、前記［２］に記載の電子カメラであって、前記連結機構１６０は、
前記印刷済み用紙Ｐｂの排出の過程において、前記保護シート１３０が前記印刷済み用紙Ｐｂの先端部によって伸展状態にされるとき、前記開閉蓋１４０を前記保護シート１３０の伸展動作に連動して開いた状態となす開蓋操作手段ＯＰ（Ｐｂ，１３０，１４０）と、
前記印刷済み用紙Ｐｂの排出完了後において、前記保護シート１３０が自己復元力により前記ケース１２１内にロール状に巻き込まれて収容されるとき、前記開閉蓋１４０を前記保護シート１３０の巻き込み動作に連動して閉じた状態となす閉蓋操作手段ＣＬ（１３０，１６０，１４０）と、
を備えていることを特徴としている。
【００５１】
［４］前記実施形態に示された電子カメラは、前記［２］に記載の電子カメラであって、前記連結機構１６０は、
前記開閉蓋１４０の回動軸１４１と平行であって、且つ当該開閉蓋１４０の内面に対して少なくとも前記保護シート１３０が通過可能な間隙Ｇを隔てて対向配置される短冊状のシート保持部材１７０と、
このシート保持部材１７０を、前記開閉蓋１４０に対して固定する固定機構１８０と、
を備えていることを特徴としている。
【００５２】
［５］前記実施形態に示された電子カメラは、前記［４］に記載の電子カメラであって、
前記シート保持部材１７０は、前記保護シート１３０に接する面が錐体面を呈するウィング部１７１，１７２を備えていることを特徴としている。
【００５３】
［６］前記実施形態に示された電子カメラは、前記［４］に記載の電子カメラであって、
前記固定機構１８０は、前記保護シート１３０に設けた開口部（スリット孔１３３）を通して前記シート保持部材１７０を前記開閉蓋１４０の内面に支持するための支持ブロック１８１と、この支持ブロック１８１を介して前記シート保持部材１７０を前記開閉蓋１４０の内面に着脱自在に固定する固定素子（固定ねじ１８３）とを備えていることを特徴としている。
【００５４】
［７］前記実施形態に示された電子カメラは、前記［６］に記載の電子カメラであって、
前記シート保持部材１７０と前記支持ブロック１８１との間には、位置決め用の嵌合部１８１ａ，１８１ｂ及び１８２ａ，１８２ｂが設けられていることを特徴としている。
【００５５】
［８］前記実施形態に示された電子カメラは、前記［６］に記載の電子カメラであって、
前記保護シート１３０の開口部（スリット１３３）は、前記支持ブロック１８１における前記回動軸１４１と直交する方向の長さより大きな長さＬを有していることを特徴としている。
【００５６】
［９］前記実施形態に示された電子カメラは、前記［１］又は［２］に記載の電子カメラであって、
前記開閉蓋１４０は、開放時において当該開閉蓋１４０の側方から前記用紙排出口１２５内に侵入する光を遮蔽するために、当該開閉蓋１４０における矩形状板体１４０ｃの両側に、それぞれ光遮蔽部片１４０ａ，１４０ｂを備えていることを特徴としている。
【００５７】
［１０］実施形態に示された電子カメラは、前記［１］〜［９］に記載されている事項の少なくとも一部を適宜組み合わせた内容を含んでいることを特徴としている。
【００５８】
（変形例）
前記実施形態は、下記の変形例を含んでいる。
【００５９】
(1)開閉蓋１４０の開放角度を、０°〜１１０°の範囲で可変設定し得るように構成されたもの。
【００６０】
(2)回動軸１４１が開閉蓋１４０の側に固定された構造を有するもの。
【００６１】
(3)シート保持部材１７０が、支持ブロック１８１に対し、係合手段によって着脱自在に取り付けられたもの。
【００６２】
(4)インク記録式プリンタを用いたプリンタ内蔵型の電子カメラに本発明を適用したもの。
【００６３】
上記以外の他の変形例についても、当業者によれば容易に想到し得ると考えられる。したがって前記実施形態で示した具体的な記述、例示した装置、図示した形状等に限定されるものではなく、本発明の特許請求の範囲に示された請求項およびその均等物によって定まる包括的な概念の範囲を逸脱しない限り、種々変形して実施することができる。
【００６４】
【発明の効果】
本発明によれば、下記のような作用効果を有するプリンタ内蔵型の電子カメラを提供できる。
【００６５】
(a) 保護シートの伸展動作及び巻き込み動作に伴って用紙排出口に設けてある開閉蓋が自動開閉するので、用紙排出口から外部光が入り込んで、プリント用紙の感光面を不必要に露光したり、また用紙排出口から塵埃、砂、小砂、微粒子、汚染物質などの異物がカメラ本体内に入り込んでトラブルを引き起こしたりするおそれがない。
【００６６】
(b) 上記 (a)の利点を有するものでありながら、開閉蓋を駆動するための駆動源を格別に必要としないので、カメラ本体の大型化やコストアップを招くおそれがない。
【図面の簡単な説明】
【図１】本発明の一実施形態に係る電子カメラの概略的構成を示す図で、カメラ本体を正面側から見た斜視図。
【図２】本発明の一実施形態に係る電子カメラの要部の構成を示す図で、（ａ）は開閉蓋が開放された状態を示す縦断側面図、（ｂ）は開閉蓋が閉塞された状態を示す縦断側面図。
【図３】本発明の一実施形態に係る電子カメラの連結機構，保護シート，及び開閉蓋を互いに関連付けて示す図で、（ａ）は開閉蓋が開放された状態をカメラ本体の正面から見てほぼ右半面のみ切り出して示す図、（ｂ）は開閉蓋が閉塞された状態をカメラ本体の正面から見てほぼ右半面のみ切り出して示す図。
【図４】本発明の一実施形態に係る電子カメラの連結機構の構成を示す図で、（ａ）は連結機構をその周辺部材と共に示す分解斜視図、（ｂ）はシート保持部材のみを一部切断して示す斜視図。
【図５】本発明の一実施形態に係る電子カメラの動作を示す図で、（ａ）は印刷済み用紙がカメラ本体外へ排出開始した時の状態を示す縦断側面図、（ｂ）は印刷済み用紙が保護シートを伸展させながらカメラ本体外へ排出完了した時の状態を示す縦断側面図、（ｃ）は印刷済み用紙がカメラ本体のケース外へ引き抜き操作された後の状態を示す縦断側面図。
【符号の説明】
１００…カメラ本体
１１０…撮像ユニット
１２０…印刷ユニット
１３０…保護シート
１４０…開閉蓋
１６０…連結機構
【図１】
0003825985.tif 000002
【図２】
0003825985.tif 000003
【図３】
0003825985.tif 000004
【図４】
0003825985.tif 000005
【図５】
0003825985.tif 000006